(57)【特許請求の範囲】
【請求項１】
基板部と、この基板部から突出して略直線に沿って配設される延在突起を備え、人体の左下腹部、右下腹部、及び上方下腹部のいずれかを対象部位として押圧する大腸押圧具であって、
前記基板部は、前記対象部位の曲面に沿い得る可撓性を有し、
前記延在突起は、対象部位への装着時に人体の大腸の延在方向に沿うように配設され、前記延在突起の基板部からの高さ寸法が一端側から他端側に向かって小さくなり、高さ寸法が大きい側を大腸の始部側としたことを特徴とする大腸押圧具。
【請求項２】
基板部と、この基板部から突出して略直線に沿って配設される延在突起を備え、人体の左下腹部、右下腹部、及び上方下腹部のうち複数箇所を対象部位として押圧する大腸押圧具であって、
前記基板部は、前記対象部位の曲面に沿い得る可撓性を有し、
前記延在突起は、人体の大腸の延在方向に沿うように配設されたことを特徴とする大腸押圧具。
【請求項３】
第１の線分上に配設される第１延在突起と、第１の線分の一端部から第１の線分と略直交する方向に延びる第２の線分上に配設される第２延在突起とを備えた平面視略Ｌ字状とすることを特徴とする請求項２の大腸押圧具。
【請求項４】
第１の線分上に配設される第１延在突起と、第１の線分の一端部から第１の線分と略直交する方向に延びる第２の線分上に配設される第２延在突起と、第１の線分の他端部から第１の線分と略直交し、第２の線分と同方向に延びる第３の線分上に配設される第３延在突起を備えた平面視略Ｕ字状とすることを特徴とする請求項２の大腸押圧具。
【請求項５】
前記各延在突起の前記基板部からの高さ寸法は、大腸の始部側から出口側へ向かって順次小さくなることを特徴とする請求項２〜請求項４のいずれか１項の大腸押圧具。
【請求項６】
前記各延在突起は、その延在方向と直交する方向に複列設けられることを特徴とする請求項１〜請求項５のいずれか１項の大腸押圧具。
【請求項７】
前記延在突起は、前記基板部から突出して、その延在方向に不連続となる凸部を備えることを特徴とする請求項１〜請求項６のいずれか１項の大腸押圧具。
【請求項８】
前記延在突起は、前記基板部から隆起して、少なくともその延在方向に沿って延びる隆起部を備えることを特徴とする請求項１〜請求項６のいずれか１項の大腸押圧具。
【請求項９】
前記延在突起は、前記隆起部上から突出する複数個の突出部を備えることを特徴とする請求項８の大腸押圧具。
【請求項１０】
前記延材突起の少なくとも人体への接触部位は、弾性を有する材料にて構成されることを特徴とする請求項〜請求項９のいずれか１項の大腸押圧具。
【請求項１１】
人体の下腹部を覆う下腹部領域を有し、この下腹部領域に、前記請求項１〜請求項１０のいずれかの大腸押圧具が取付られるための取付手段を有することを特徴とする身体装着具。
【請求項１２】
前記取付手段は、前記大腸押圧具を出入自在に収納するポケットであることを特徴とする請求項１１の身体装着具。
【発明の詳細な説明】
【技術分野】
【０００１】
本発明は、人体の下腹部の大腸を押圧する大腸押圧具及び大腸押圧具を取付けるための身体装着具に関する。
【背景技術】
【０００２】
人体には多数のツボが存在しており、ツボを指圧することにより健康維持や病気の回復を促進する方法が知られている。例えば、人体には排便を促進するツボが存在し、排便促進効果のあるツボを指圧することにより便秘を改善するような指圧療法がある。
【０００３】
ところで、日常生活を行いながら、前記のような指圧療法ができるものが提案されている（特許文献１、特許文献２）。特許文献１のものは、肌着類や靴下類等のアンダーウエアに関するものであって、アンダーウエアの人体のツボの当接部位に突起体を設けている。これにより、特許文献１のアンダーウエアを着用すると、突起体がツボに当接するとともに、アンダーウエアの弾性によって突起体がツボを押圧して、着用中は常時指圧療法を行うことができる。特許文献２のものは、アンダーウエアに設ける突起体をシリコンゴム等の弾性体にて構成し、弾性体の素材の一部をアンダーウエアの織目内に含侵させて、アンダーウエアに突起体を固着するものである。
【先行技術文献】
【特許文献】
【０００４】
【特許文献１】特開平１０−２２２号公報
【特許文献２】特開平１０−６０７０２号公報
【発明の概要】
【発明が解決しようとする課題】
【０００５】
前記各特許文献のものは、ツボを押圧することにより、その症状の改善を図るものである。この場合、症状の改善に適したツボを正確に指圧できない場合は、指圧療法の効果は期待できない。このため、前記各特許文献のものは、症状に適したツボの位置を正確に認識し、そのツボに当接するアンダーウエアの位置に正確に突起体を設ける必要がある。しかしながら、ツボの位置は人によって異なり、また、１つのツボのエリアは小さいため、所望のツボに正確に当接するように突起体を設けることは難しい。
【０００６】
前記各特許文献のものは、アンダーウエアと突起体とは独立したものではなく、アンダーウエアと突起体とが一体的となったものである。このため、突起体を取付けた後に位置を微調整することができず、一旦不適切な位置に突起体を設けた場合や、使用者の体型が変化した場合には対応できない。また、仮に適切な位置に突起体を設けたとしても、使用者の体位が変化すること等により使用中においてアンダーウエアに伸縮が生じた場合、突起体はアンダーウエアの伸縮に追従して位置が変化する。このため、使用中に突起体がツボの位置から外れる可能性がある。
【０００７】
また、人体の表面は複雑な曲面を有しており、部位によって硬さが異なる。特に、下腹部を形成する曲面は人によって曲率や硬さが大きく相違する。このため、前記各特許文献のものでは、アンダーウエアの形状や圧着力によっては人体の曲面に沿うことができず、突起体は下腹部に対して十分な押圧力を付与することができない可能性がある。
【０００８】
このため、前記各特許文献のものでは、例えば便秘解消のために、排便促進効果のあるツボに当接するように突起体を設けても、ツボを正確に押圧できない場合があり、十分な排便促進効果が得られない可能性がある。
【０００９】
本発明は、これら従来技術の問題を解決し、簡単な構成で排便を促す効果の得られる大腸押圧具及びそれを取付けるための身体装着具を提供することを目的とする。
【課題を解決するための手段】
【００１０】
本発明は、前記目的を達成するため、基板部と、この基板部から突出して略直線に沿って配設される延在突起を備え、人体の左下腹部、右下腹部、及び上方下腹部のいずれかを対象部位として押圧する大腸押圧具であって、前記基板部は、前記対象部位の曲面に沿い得る可撓性を有し、前記延在突起は、対象部位への装着時に人体の大腸の延在方向に沿うように配設され、前記延在突起の基板部からの高さ寸法が一端側から他端側に向かって小さくなり、高さ寸法が大きい側を大腸の始部側とした大腸押圧具を提供するものである。
【００１１】
本発明に係る大腸押圧具によれば、延在突起は人体の大腸の延在方向に沿って延びるものであるため、延在突起が対象部位（左下腹部、右下腹部、及び上方下腹部のいずれか）に当接乃至圧接することになる。左下腹部には大腸の下行結腸、右下腹部には大腸の上行結腸、上方下腹部には大腸の横行結腸が存在するため、突起部は、対象部位を押圧することになり、大腸にたまった便を出口側へ物理的に押し流すとともに、大腸の蠕動運動を促進させて排便を促すことができる。人体の特に下腹部を形成する曲面は、人によって曲率や硬さが相違するが、基板部は、対象部位の曲面に沿い得る可撓性を有するようにしているため、使用者の体型・体位によらずに押圧効果を得ることができる。
【００１２】
便秘には、大腸の蠕動運動の低下に起因する弛緩性便秘、腸の神経の鈍化に起因する直腸性便秘等があり、大腸の機能低下が起因している場合が多い。従って、大腸を直接マッサージすることにより、腸の神経を刺激して蠕動運動を促進させることができる。これにより、本発明の大腸押圧具を日常的に使用すれば、大腸の機能の回復を図ることもでき、慢性的な便秘の改善にも有効なものとなる。しかも、大腸は下腹部の大半を占めているため、押圧対象を大腸とすることによって延在突起が押圧すべきエリアを広くできる。これにより、延在突起の細かい位置調節が必要なく、使用中の体位変化が生じても、延在突起は高い確率で大腸を押圧することができる。
【００１３】
また、本発明の他の大腸押圧具は、基板部と、この基板部から突出して略直線に沿って配設される延在突起を備え、人体の左下腹部、右下腹部、及び上方下腹部のうち複数箇所を対象部位として押圧する大腸押圧具であって、前記基板部は、前記対象部位の曲面に沿い得る可撓性を有し、前記延在突起は、人体の大腸の延在方向に沿うように配設されたものである。
【００１４】
本発明の他の大腸押圧具によれば、延在突起は、左下腹部、右下腹部、及び上方下腹部のうち、２以上の箇所に設けられる。これにより、他の大腸押圧具は、より広範囲に大腸を押圧することができて、一層排便を促すことができる。
【００１５】
延在突起を左下腹部、右下腹部、及び上方下腹部の複数の箇所に設ける場合の形状は、第１の線分上に配設される第１延在突起と、第１の線分の一端部から第１の線分と略直交する方向に延びる第２の線分上に配設される第２延在突起とを備えた平面視略Ｌ字状としてもよい。また、第１の線分上に配設される第１延在突起と、第１の線分の一端部から第１の線分と略直交する方向に延びる第２の線分上に配設される第２延在突起と、第１の線分の他端部から第１の線分と略直交し、第２の線分と同方向に延びる第３の線分上に配設される第３延在突起を備えた平面視略Ｕ字状としてもよい。
【００１６】
前記構成において、前記各延在突起の前記基板部からの高さ寸法は、大腸の始部側から出口側へ向かって順次小さくするのが望ましい。これにより、延在突起は、大腸の始部側から出口側に向かって段階的な強さで下腹部を押圧することができるので、便を物理的に押し流す効果が得られやすいものとなる。
【００１７】
前記各延在突起は、その延在方向と直交する方向に複列設けられるのが望ましい。大腸の大きさや位置、排便を促すツボの位置は、使用者により異なる。しかしながら、延在突起を複列とすることにより、押圧箇所の数が増えるため、いずれかの延在突起が大腸やツボを刺激することができる。これにより、使用者の体型によらず、多くの使用者にとって排便を促進する効果が得られ易いものとなる。
【００１８】
前記構成において、前記延在突起は、前記基板部から突出して、その延在方向に不連続となる凸部を備えるものとしたり、前記基板部から隆起して、少なくともその延在方向に沿って延びる隆起部を備えるものとしたりできる。さらに、隆起部上から突出する複数個の突出部を備えるものとできる。
【００１９】
前記延材突起の少なくとも人体への接触部位は、弾性を有する材料にて構成されるのが望ましい。これにより、例えば就寝時に伏臥位等のような状態であっても、下腹部に痛み、異物感等の不快感が緩和され、使用者に快適な使用感を与える。
【００２０】
前記大腸押圧具は、例えば身体装着具に取付て使用することができる。身体装着具は、人体の下腹部を覆う下腹部領域を有し、この下腹部領域に、前記大腸押圧具が取付けられるための取付手段を有するものである。すなわち、前記大腸押圧具の延在突起は、人体の下腹部に当接されることになり、呼吸による下腹部の往復動により下腹部への接触圧に強弱が発生する。これにより、使用者は、装着するだけでマッサージ効果を得ることができる。
【００２１】
前記取付手段は、前記大腸押圧具を出入自在に収納するポケットにて構成するのが望ましい。これにより、使用者は、大腸押圧具を簡単に取付け、取外しができるため、使い勝手が良いものとなる。
【発明の効果】
【００２２】
上に述べたように、本発明によれば、簡単な構成で排便を促す効果の得られる大腸押圧具を提供することができる。
【図面の簡単な説明】
【００２３】
【図１】本発明に係る大腸押圧具の第１実施形態の平面図である。
【図２】図１に示す大腸押圧具の側面図である。
【図３】図１に示す大腸押圧具が取付けられる身体装着具の正面図である。
【図４】図１に示す大腸押圧具を身体装着具に取付けた状態を示す断面図である。
【図５】図１に示す大腸押圧具を装着した状態を示す正面図である。
【図６】図１に示す大腸押圧具を装着した状態を示す断面図である。
【図７】本発明に係る大腸押圧具の第２実施形態の平面図である。
【図８】図７に示す大腸押圧具の第１の線分、第２の線分、第３の線分を示す説明図であり、（ａ）は第１の線分、（ｂ）は第２の線分及び第３の線分を示す。
【図９】本発明に係る大腸押圧具の第３実施形態の平面図である。
【図１０】図９に示す大腸押圧具のＡ−Ａ矢視図である。
【図１１】図９に示す大腸押圧具のＢ−Ｂ矢視図である。
【図１２】本発明に係る第４実施形態の大腸押圧具が身体装着具に取付られた状態を示す断面図であり、（ａ）は連続状の延在突起、（ｂ）は不連続状の延在突起を示す。
【図１３】実施品α及び実施品βの形態を示す図であり、（ａ）は実施品αの平面図及び側面図、（ｂ）は実施品βの平面図及び側面図である。
【図１４】被験者が実施品α及び実施品βを使用した後の便秘解消効果、及び半球体が被験者の下腹部に与える押圧力を示す結果を示すグラフ図である。
【発明を実施するための形態】
【００２４】
以下、図面を参照し、本発明の実施の形態に係る大腸押圧具を具体的に説明する。図面中の同一又は同種の部分については、同じ番号を付して説明を一部省略する。
【００２５】
図１は、第１実施形態に係る大腸押圧具を示す平面図である。図１に示すように、大腸押圧具は、基板部１と、この基板部１から基板部長手方向に沿って延設する１列の延在突起２とを備える。
【００２６】
基板部１は、コーナー部が面取りされた、厚さが例えば２ｍｍの矩形平板体である。基板部１は、スチレンブタジエン共重合体が７０〜８０％、ポリプロピレンが１０〜２５％、ミネラルオイル（流動パラフィン）が２〜５％の割合で配合された材料にて構成されている。これにより、基板部１は可撓性を有するものとなり、基板部１が当接する面に沿って自由に変形できるものとなる。
【００２７】
延在突起２は、基板部長手方向に不連続となる３つの凸部（一端部から順に第１凸部３、第２凸部４、第３凸部５）からなり、これら３つの凸部３、４、５は定ピッチで延設されている。本実施形態では、夫々の凸部３、４、５を図２に示すような半球体としている。
【００２８】
延在突起２は、図２に示すように基板部表面６からの高さ寸法が、一端部から他端部にかけて順次小さくなるようにしている。すなわち、基板部表面６から凸部（半球体）３、４、５の頂点までの高さ寸法ｈ３、ｈ４、ｈ５は、第１半球体３では最も大きく、第２半球体４では第１半球体３よりも小さく、第３半球体５では第２半球体４よりもさらに小さくなっている（ｈ３＞ｈ４＞ｈ５）。第１半球体３及び第２半球体４の寸法差（ｈ３−ｈ４）と、第２半球体４及び第３半球体５の寸法差（ｈ４−ｈ５）とは同一としている。
【００２９】
夫々の半球体３、４、５は、基板部１と同様の材料にて構成されており、延材突起２は弾性を有するものとなる。このように、延在突起２の材質としては弾性を有するもの、例えばシリコン、スチレン、ブタジエン等のゴム、SBR等の共重合体、ウレタン樹脂、コルク、糸玉、布玉のような繊維の塊とするのが望ましい。夫々の半球体３、４、５の硬度（アスカーＣ型硬度計）は所望の硬度とすることができるが、人の指の硬さ（約３０）程度若しくはそれよりもやや固めの２０〜８０とするのが望ましく、本実施形態においては６０としている。
【００３０】
この大腸押圧具は、例えば人体の下腹部を覆う身体装着具に取付けて使用することができる。本実施形態では、身体装着具６０として図３に示すようなショーツタイプの下半身用下着としている。この下半身用下着は、下方開放状の足口１３を左右対称に形成した伸縮性を有する前身頃１４と、伸縮性を有する後身頃１５と、前身頃１４の下端の内股前部と後身頃１５の下端の内股後部との間に配設されるマチ部１６とを備えている。下半身用下着のうち、装着状態で人体の下腹部を覆う部分を下腹部領域７としている。
【００３１】
下腹部領域７の前身頃１４の人体当接側には、本発明の大腸押圧具を取付けるための取付手段１２が設けられている。本実施形態では、取付手段１２は、装着状態において左下腹部に対応する位置に設けられ、胴側端縁８に開口するポケットにて構成している。ポケット１２のサイズは本発明の大腸押圧具を収納可能な大きさとなっており、底が直角となった平面視矩形状となっている。ここで、左下腹部とは、下半身用下着が装着される人体にとって左側の下腹部をいい、図面上右側に相当する。
【００３２】
次に、本発明の大腸押圧具にて大腸を押圧する方法について説明する。まず、大腸押圧具をポケット１２に収納する。この場合、図４に示すように、大腸押圧具は、延在突起２の夫々の半球体３、４、５が人体側に向かって突出するとともに、基板部表面６からの高さ寸法が最も小さい第３半球体５がポケット１２の底側に位置するように収納する。その後、大腸押圧具が収納された下半身用下着を人体に装着する。なお、下半身用下着を人体に装着した後、大腸押圧具をポケット１２に収納してもよい。
【００３３】
本発明の大腸押圧具を収納した下半身用下着を人体に装着した状態では、図５に示すように、下腹部領域７は人体の下腹部を覆う。延在突起２は、人体身長方向Ｈに沿って、高さ寸法が最も大きい第１半球体３が左下腹部の上方側に位置し、高さ寸法が最も小さい第３半球体５が左下腹部の下方側に位置するように人体の対象部位５０（本実施形態では左下腹部）に当接する。
【００３４】
基板部１は可撓性を有するため、図６に示すように、前身頃１４の圧着力にて基板部１は左下腹部５０の曲面５１に沿うように変形している。なお、図６ではポケット１２を省略している。特に人体の下腹部を形成する曲面５１は、人によって曲率や硬さが相違するが、基板部１が可撓性を有することにより曲面５１に沿うことができる。これにより、使用者の体型・体位によらず延在突起２は左下腹部５０に当接することができる。
【００３５】
人体の下腹部には大腸が延在する。大腸の始部は右下腹部の下方に存在し、右下腹部には始部から人体身長方向Ｈに沿って延びる上行結腸、上方下腹部には人体幅方向Ｗに沿って延びる横行結腸、左下腹部には人体身長方向Ｈに沿って延びる下行結腸が順に延在する。さらに、下行結腸からＳ字結腸、直腸が存在し、直腸が大腸の出口となる。下行結腸は大腸の下流側に相当し、出口に近い部位となる。便秘でない場合は、この部位に粥状の軟らかい便しか存在しないのに対し、便秘になると、この部位に固形の便がたまる。また、下行結腸周辺には、大腸の蠕動運動を司る神経や排便を促進させるツボが多数存在する。
【００３６】
前記したように、延材突起２は人体身長方向Ｈに沿って左下腹部に当接するため、左下腹部に存在する下行結腸は延在突起２にて押圧されることになる。しかも、呼吸による下腹部の往復動により、延在突起２の下腹部への接触圧に強弱が発生する。これにより、大腸（この場合、下行結腸）にたまった便を出口側へ物理的に押し流すとともに、大腸の蠕動運動を促進させて効果的に排便を促進させることができる。このようにして、使用者は本発明の大腸押圧具にて大腸のマッサージ効果を得ることができる。
【００３７】
便秘には、大腸の蠕動運動の低下に起因する弛緩性便秘、腸の神経の鈍化に起因する直腸性便秘等があり、大腸の機能低下が起因している場合が多い。従って、大腸を直接マッサージすることにより、腸の神経を刺激して蠕動運動を促進させることができる。本実施形態では、人が普段使用する下半身用下着に大腸押圧具を取付けているため、使用者は装着に対する違和感がなく、長時間使用しやすいものとなる。このように、本発明の大腸押圧具を日常的に使用すれば、大腸の機能の回復を図ることもでき、慢性的な便秘の改善にも有効なものとなる。しかも、大腸は下腹部の大半を占めているため、押圧対象を大腸とすることによって延在突起２が押圧すべきエリアを広くできる。これにより、延在突起２の細かい位置調節が必要なく、使用中の体位変化が生じても、延在突起２は高い確率で大腸を押圧することができる。
【００３８】
この場合、延在突起２の基板部表面６からの高さ寸法は、大腸の始部側（下行結腸の上方側）から出口側（下行結腸の下方側）に向かって順次小さくなっている。したがって、延在突起２の押圧力は、下行結腸の上方側で最も大きく、下方側に向かって小さくなり、下行結腸が段階的に押圧される。これにより、便を物理的に押し流す効果が得られ易いものとなる。
【００３９】
前記第１実施形態では、本発明の大腸押圧具を左下腹部に当接するようにしたが、大腸押圧具は、延在突起２を人体身長方向Ｈに沿う向きで右下腹部に当接させて上行結腸を押圧するものとしたり、延在突起２を人体幅方向Ｗに沿う向きで上方下腹部に当接させて横行結腸を押圧するものとしたりできる。延在突起２を右下腹部に当接させる場合は、高さ寸法の大きい側を右下腹部の下方側に配設するのが望ましい。また、延在突起を上方下腹部に当接させる場合は、高さ寸法の大きい側を上方下腹部の右下腹部側に配設するのが望ましい。
【００４０】
図７は、本発明の第２実施形態に係る大腸押圧具を示す。第２実施形態の大腸押圧具は、図８（ａ）に示すように、基板部長手方向に沿って延びる第１の線分ｌ１と、図８（ｂ）に示すように、第１の線分ｌ１の一端部から第１の線分ｌ１と直交する方向（基板部短手方向）に沿って延びる第２の線分ｌ２と、第１の線分ｌ１の他端部から第１の線分ｌ１と略直交し、第２の線分ｌ２と同方向に延びる第３の線分ｌ３のいずれか２つの線分上に延在突起を設けるものである。第１の線分ｌ１は、第２の線分ｌ２及び第３の線分ｌ３と一部重複する。
【００４１】
図７の大腸押圧具は、第１の線分ｌ１上に基板部長手方向に沿って連続する第１延在突起２１と、第２の線分ｌ２上に基板部短手方向に沿って連続する第２延在突起２２とを備えた平面視略L字状となっている。第１延在突起２１と第２延在突起２２との境界は、連続であっても不連続であってもよく、本実施形態では第１延在突起２１と第２延在突起２２との境界が連続状となっている。
【００４２】
第１延在突起２１は単一の凸部２３からなり、この凸部２３は直方体にて構成されている。第２延在突起２２は単一の凸部２４からなり、この凸部２４は直方体にて構成されている。これにより、第１延在突起２１及び第２延在突起２２の基板部表面からの高さ寸法は一定となっている。
【００４３】
第２実施形態に係る大腸押圧具を、前記第１実施形態と同様の方法により対象部位（本実施形態では上方下腹部及び左下腹部）に当接させる。すなわち、第１延在突起２１を人体幅方向Ｗに沿って人体の上方下腹部に当接させ、第２延在突起２２を人体身長方向Ｈに沿って人体の左下腹部に当接させる。これにより、横行結腸が第１延在突起２１にて押圧されるとともに、下行結腸が第２延在突起２２にて押圧されることになる。
【００４４】
このように、第２実施形態の大腸押圧具は、左下腹部及び上方下腹部の２箇所を押圧するものであり、広範囲に大腸を押圧することができるため、排便促進効果を一層向上させることができる。
【００４５】
前記第２実施形態では、第１の線分ｌ１上及び第２の線分ｌ２上に延在突起２１、２２を設けたが、第２の線分ｌ２上及び第３の線分ｌ３上に延在突起を設けて下行結腸及び上行結腸を押圧するものとしたり、第３の線分ｌ３上及び第１の線分ｌ１上に延在突起を設けて上行結腸及び横行結腸を押圧するものとしたりできる。また、前記第１実施形態のように、第１延在突起２１及び第２延在突起２２の両方、又はどちらか一方を、延在方向に不連続となる複数の凸部（例えば半球体）にて構成してもよい。
【００４６】
第１延在突起２１と第２延在突起２２とのどちらか一方又は両方を、一端側から他端側に向かって順次高さ寸法が小さくなるようにしてもよい。この場合、第１延在突起２１は、第２延在突起と反対側を高くして第２延在突起側を低くする。第２延在突起２２は、第１延在突起側を高くして、その反対側を低くする。第３の線分上に延在突起を設ける場合は、第１延在突起と反対側を高くして、第１延在突起側を低くする。
【００４７】
図９〜図１１は、本発明の第３実施形態に係る大腸押圧具を示す。第３実施形態の大腸押圧具は、図９に示すように、第１の線分ｌ１と、第２の線分ｌ２と、第３の線分ｌ３との全ての線分上に延在突起を設けるものである。
【００４８】
図９の大腸押圧具は、第１の線分ｌ１に基板部長手方向に沿って連続する２つの第１延在突起３１ａ、３１ｂと、第２の線分ｌ２上に基板部短手方向に沿って連続する１つの第２延在突起３２と、第３の線分ｌ３上に基板部短手方向に沿って連続する２つの第３延在突起３３ａ、３３ｂとを備えた平面視略Ｕ字状となっている。第１延在突起３１と第２延在突起３２との境界、及び第１延在突起３１と第３延在突起３３ａ、３３ｂとの境界は連続であっても不連続であってもよく、本実施形態では、夫々の境界が不連続状となっている。
【００４９】
第１延在突起３１ａ、３１ｂは、延在方向と直交する方向に複列（本実施形態では２列）設けられている。第１延在突起３１ａ、３１ｂは単一の細長い凸部（第１凸部という）３４ａ、３４ｂからなる。第１凸部３４ａ、３４ｂの上面は、図１０に示すように、第３延在突起側から第２延在突起側に向かって高さ寸法が小さくなるテーパ面となっている。すなわち、基板部表面３７から第１凸部３４ａ、３４ｂまでの高さ寸法は、第３延在突起側では大きくなっており、第２延在突起側へ向けて徐々に小さくなり、第２延在突起側では小さくなっている。これにより、第１延在突起３１ａ、３１ｂは、夫々基板部表面３７からの高さ寸法が、第３延在突起側から第２延材突起側にかけて順次小さくなっている。
【００５０】
第２延在突起３２は隆起部３９と突出部４０とを備えた単一のブロック状体３５からなる。すなわち、ブロック状体３５は、図１１に示すように、基板部２０から隆起して連続的に延在する隆起部３９と、この隆起部上から延在方向に沿って所定間隔で設けられる５つの突出部４０ａ〜４０ｅとを備えた２層構造としている。突出部４０ａ〜４０ｅは、図９に示すように平面視において角丸四角形としている。基板部表面３７からの突出部４０ａ〜４０ｅの高さ寸法は、第１延在突起側では最も大きくなっており、反対側へ向けて徐々に小さくなっている。これにより、第２延在突起３２は、基板部表面３７からの高さ寸法が、第１延在突起側から反第１延材突起側にかけて順次小さくなっている。
【００５１】
第３延在突起３３ａ、３３ｂは、延在方向と直交する方向に複列設けられている。第３延在突起３３ａ、３３ｂは隆起部４１ａ、４１ｂと突出部４２ａ、４２ｂとを備えた単一のブロック状体３６ａ、３６ｂからなる。すなわち、このブロック状体３６ａ、３６ｂは、基板部２０から隆起して連続的に延在する隆起部４１ａ、４１ｂと、この隆起部上から延在方向に沿って所定間隔で設けられる５つの突出部４２ａ、４２ｂとを備えた２層構造としている。図９に示すように、突出部４２ａ、４２ｂは平面視円形の半球体としている。基板部表面３７からの突出部４２の高さ寸法は、第１延在突起と反対側では最も大きくなっており、第１延在突起側へ向けて徐々に小さくなっている。これにより、第３延在突起３３ａ、３３ｂは、基板部表面３７からの高さ寸法が、反第１延在突起側から第１延材突起側にかけて順次小さくなっている。図９に示すように、第３延在突起３３ａ、３３ｂにおいて、一方のブロック状体３６ａの突出部４２ａと、他方のブロック状体３６ｂの突出部４２ｂとの配設位置は、平面視において基板部短手方向にずれている。
【００５２】
第３実施形態に係る大腸押圧具を、前記第１実施形態と同様の方法により対象部位（上方下腹部、左下腹部及び右下腹部）に当接させる。すなわち、第１延在突起３１ａ、３１ｂは人体幅方向Ｗに沿って人体の上方下腹部に当接させ、第２延在突起３２は人体身長方向Ｈに沿って人体の左下腹部に当接させ、第３延在突起３３ａ、３３ｂは人体身長方向Ｈに沿って人体の右下腹部に当接させる。これにより、横行結腸が第１延在突起３１ａ、３１ｂにて押圧され、下行結腸が第２延在突起３２にて押圧され、上行結腸が第３延在突起３３ａ、３３ｂにて押圧されることになる。このとき、第１延在突起３１ａ、３１ｂの高さ寸法の大きい側が、上方下腹部の右下腹部側に当接し、第２延在突起３２の高さ寸法の大きい側が、左下腹部の上方側に当接し、第３延在突起３３ａ、３３ｂの高さ寸法の大きい側が右下腹部の下方側に当接する。
【００５３】
このように、第３実施形態の大腸押圧具は、左下腹部、右下腹部、上方下腹部の全てを押圧するものであり、より広範囲に大腸を押圧することができるため、排便促進効果を一層向上させることができる。第１延在突起３１、第２延在突起３２、第３延在突起３３の一部又は全部において、高さ寸法を一定としてもよい。
【００５４】
次に、図１２は、本発明の第４実施形態に係る大腸押圧具を示す。図１２（ａ）に示すように、大腸押圧具は、基板部７５と、単一の凸部７９からなる延在突起７２と、基板部７５と延在突起７２との間に介在する支持体７４とから構成されている。すなわち、支持体７４は基板部７５に取付けられており、この支持体７４を介して延在突起７２が基板部７５に取付けられることになる。また、図１３（ｂ）に示すように、延在突起７２が、延在方向に沿って不連続となる３つの凸部（半球体）７６、７７、７８からなる場合、夫々の凸部７６、７７、７８夫々に支持体７４ａ、７４ｂ、７４ｃが取付けられている。
【００５５】
本実施形態では、支持体７４ａ、７４ｂ、７４ｃは圧縮ばねにて構成している。第４実施系形態の大腸押圧具を人体に装着すると、下腹部からの押圧力により支持体７４ａ、７４ｂ、７４ｃは、その弾発力に抗して身体装着具側へ付勢される。圧縮ばねの全長や太さ、巻数、材質は所望のものに種々設定することができる。支持体７４は、ばねの他、延在突起と同一の弾性体等の弾性部材としてもよい。また、支持体７４は、人体の下腹部の動きに追従するように可撓性を持たせる等、その性質や材料は問わず種々のものとできる。
【００５６】
次に、本発明の第５実施形態にかかる大腸押圧具として、前記第１〜第４実施形態の延在突起の全部又は一部が磁気を帯びたものとする。すなわち、前記各実施形態の半球体やブロック状体に磁石を埋設することにより、延在突起は磁性を帯びたものとなる。また、磁性材料により延在突起の全部又は一部を構成することもできる。これにより、第５実施形態の大腸押圧具では、指圧効果の更なる促進や血行の促進を図ることができる。
【００５７】
以上、本発明の実施形態について説明したが、本発明はこれに限定されるものではなく種々の変更が可能である。基板部の形状は、正方形、楕円形、多角形等種々の形状とすることができる。基板部と延在突起とは別の素材にて構成してもよい。延在突起は、少なくとも人体への接触部位が、弾性を有する材料にて構成されていればよく、それ以外の部位は弾性を有さない他の材質にて構成されていてもよい。
【００５８】
延在突起が延在方向に沿って不連続状となる凸部にて構成される場合、凸部（前記実施形態では半球体）の数は３つに限られず、２つ以上であればその数は問わない。凸部の配設ピッチはランダムであってもよく、ある部分を密としてそれ以外の部分を疎としてもよい。延在突起の凸部の形状としては半球体でなくてもよく、平面視で楕円形や多角形のものとしたり、延設方向と直交する方向に長細いものとしたり等種々のものとできる。隣り合う凸部の寸法差は一定でなくてもよく、ある部分の寸法差のみを大きくしたり小さくしたりしてもよい。１つの延在突起の中で、凸部の大きさや形状、材質は全て同一である必要はなく、同一形状で大きさを段階的に小さくしたり（相似形）、形状や材質を相違させたりすることができる。
【００５９】
延在突起が隆起部と突出部とを有する２層構造とする場合、突出部は、平面視において三日月形状、楕円状等種々の形状とすることができる。突出部は隆起部に整列する必要はなく、ランダムであってもよく、ある部分を密としてそれ以外の部分を疎としてもよい。隣り合う突出部の寸法差は一定でなくてもよく、ある部分の寸法差のみを大きくしたり小さくしたりしてもよい。１つの延在突起の中で、突出部の大きさや形状、材質は全て同一である必要はなく、同一形状で大きさを段階的に小さくしたり（相似形）、形状や材質を相違させたりすることができる。延在突起は、３層以上の構造としてもよい。
【００６０】
延在突起を複列設ける場合、３列以上であってもよい。このとき、夫々の延在突起において、同一の大きさ・形状のものを設ける必要はなく、夫々の延在突起の大きさや形状を相違させてもよい。例えば、連続状に延在する延在突起と不連続状に延在する延在突起とを混在させてもよい。
【００６１】
本発明の大腸押圧具が取付られる身体装着具としては、下半身用下着に限られず、ズボン、ストッキング等の下股までを覆うもの、腹巻、コルセット等の腹部のみを覆うもの、ボディースーツ、肌着等の上半身までを覆うもの、ベルト類等であってもよい。身体装着具は、その下腹部領域に保温効果を高める手段や、着圧を高める手段が設けられたものであってもよい。保温効果を高める手段としては、例えば生地が胴側端縁にて折り返された２重構造にて構成できる。また、着圧を高める手段としては、例えばウレタン糸のような弾性を有する糸を含んだ編生地にて構成したり、ウレタン等の樹脂を塗布したり、ストレッチ性のある細かいネット状の生地（パワーネット）やゴムひもを逢着したり、ポリエステル、ナイロン、ウレタンのように熱可塑性を有する糸にてこの領域を形成した後、熱をかけて糸を溶かすこと等により構成することができる。保温効果を高める手段を設けた場合は、本発明の大腸押圧具による押圧と保温効果とが相俟って、一層排便を促進することができる。また、着圧を高める手段を設けた場合は、本発明の大腸押圧具が下腹部を強く押圧するようになって、より効果的なマッサージ効果、ツボ押し効果が得られる。
【００６２】
大腸押圧具を取付る取付手段はポケットに限られない。例えば、身体装着具及び基板部に面ファスナを設けて両者を固定してもよい。また、身体装着具に可撓性を有するフック状のものを取付るとともに、基板部に孔部を設け、フックを孔部に挿入して固定してもよい。取付手段を省略することもできる。例えば、大腸押圧具を下腹部と身体装着具との間に挟み、身体装着具の圧着力だけで大腸押圧具を下腹部に固定してもよい。また、基板部に粘着性を持たせて基板部を身体装着具に直接貼り付けることもできる。
【００６３】
取付手段をポケットとする場合は、ポケットの形状は前記のものに限られず、例えば底に凸曲面を有する略U字のものや、開口部側（胴側端縁）に向かってポケット幅が徐々に小さくなるような形状であってもよい。ポケットの開口部は胴側端縁に限られず、下腹部領域の人体身長方向Ｈに沿って開口するものとしてもよい。また、ポケットを開閉自在として、ポケットからの大腸押圧具の抜け出しを防止するポケット閉口手段を設けてもよい。ポケット閉口手段は、例えば面ファスナ、線ファスナ、ボタン等としたり、蓋部材としたりできる。
【実施例】
【００６４】
本発明の大腸押圧具を実際に使用して、その効果を確認する試験を行った。具体的には、日常的に便秘を訴える被験者Ａ、Ｂ、Ｃ、Ｄ、Ｅ（２０~３５歳女性）が、図１３（ａ）に示す大腸押圧具α（以下、実施品αという）と図１３（ｂ）に示す大腸押圧具β（以下、実施品βという）との２種類の大腸押圧具を後述するような条件で装着した。実施品α、実施品βともに被験期間は夫々２週間とした。実施品α、実施品βともに、実施品を装着する条件としては、２週間の被験期間中のうち便秘が気になった日の晩に各実施品を装着して就寝するようにした。実施品の１回の装着期間は最低1晩以上とした。実施品αは、基板部と、第１半球体（図１３（ａ）の１）、第２半球体（図１３（ａ）の２）、第３半球体（図１３（ａ）の３）からなる延在突起２列とを有するものであり、第１〜第３半球体の基板部からの高さは同一である。実施品βは、基板部と、第１半球体（図１３（ｂ）の１）、第２半球体（図１３（ｂ）の２）、第３半球体（図１３（ｂ）の３）からなる延在突起２列とを有するものであり、第１半球体の基板部からの高さが最も高く、第２半球体、第３半球体と順次小さくなる。実施品α及び実施品βにおいて、基板部に対する半球体の配設位置、配設ピッチは略同一とした。実施品α及び実施品βは、図３に示すようなポケットを有するショーツタイプの下半身用下着に取付けて固定し、いずれも延在突起が各被験者の左下腹部に上下方向に沿って当接するようにして、第１半球体が上方側、第３半球体が下方側となるように配置した。
【００６５】
実施品α及び実施品βは同一の材料にて構成した。すなわち、実施品αの基板部と第１〜第３半球体、及び実施品βの基板部と第１〜第３半球体を、スチレンブタジエン共重合体が７０〜８０％、ポリプロピレンが１０〜２５％、ミネラルオイル（流動パラフィン）が２〜５％の割合で配合された材料にて構成した。
【００６６】
図１３に示す大腸押圧具の主な寸法は、以下の通りである。
実施品α
・基板部の長手方向寸法α１：８０ｍｍ
・基板部の短手方向寸法α２：７０ｍｍ
・第１〜第３半球体の最大径α３：２０ｍｍ
・第１〜第３半球体の基板部表面からの高さα４：８ｍｍ
・基板部の厚み寸法α５：２ｍｍ
実施品β
・基板部の長手方向寸法β１：８０ｍｍ
・基板部の短手方向寸法β２：７０ｍｍ
・第１〜第３半球体の最大径β３：２０ｍｍ
・第１半球体の基板部表面からの高さβ４：１４ｍｍ
・第２半球体の基板部表面からの高さβ５：１１ｍｍ
・第３半球体の基板部表面からの高さβ６：８ｍｍ
・基板部の厚み寸法β７：２ｍｍ
夫々の被験者Ａ〜Ｅにおいて、実施品αの第１半球体〜第３半球体が腹部に与える圧力を測定するとともに、実施品βの第１半球体〜第３半球体が腹部に与える圧力を測定した（エアパック式接触圧計ＡＭＩ3037、エアパック型式：２標準（エイエムアイ・テクノ社製））。具体的には、被験者が実施品を装着した状態で、各半球体と腹部との間にエアパックを設置し、エアパックが押圧された際の圧力を接触圧計で測定した。そして、実施品α、実施品βのぞれぞれの実施品につき、便秘解消効果の満足度についての回答を得た。満足度は、「満足」「どちらともいえない」「不満」の３段階とした。その結果を図１４に示す。
【００６７】
図１４（便秘解消効果）に示すように、実施品αを使用した場合、被験者Ｃ、被験者Ｄ、被験者Ｅは便秘解消効果の満足度について「どちらともいえない」または「不満」と回答した。これら３名が実施品αを使用したときに、第１〜第３半球体が腹部に与える圧力は、第１半球体において最も弱くなっている。これは、全ての半球体の高さが同じである場合、被験者の腹部の形状によって各半球体が腹部に与える圧力が異なってしまうためであると考えられる。
【００６８】
これに対して、実施品βを使用した場合、被験者Ａ、被験者Ｂ、被験者Ｃ、被験者Ｄ、被験者Ｅの全員が便秘解消効果の満足度について「満足」と回答した。実施品βを使用したときに、第１〜第３半球体が腹部に与える圧力の傾向は全員同じであった。すなわち、第１半球体が腹部に与える圧力が最も高く、第２半球体、第３半球体と順次小さくなり、半球体の高さと半球体が腹部に与える圧力とは比例する。これにより、半球体の高さを段階的に低くすることで、使用者の体型に関わらず、効果的に下行結腸を上側から下側に向かってマッサージできることがわかった。
【００６９】
次に、多数の被験者（日常的な便秘を訴える２０〜４０歳の女性）が、実施品α又は実施品βを４週間の被験期間中、次のような条件で装着し、便秘を解消する効果の満足度について回答を得た。実施品α、実施品βともに、実施品を装着する条件としては、４週間の被験期間中のうち便秘が気になった日の晩に各実施品を装着して就寝するようにした。実施品の１回の装着期間は最低1晩以上とした。満足度は、「満足」「どちらともいえない」「不満」の３段階とした。その結果を表１に示す。
【００７０】
【表１】
0005465058.tif 000002
【００７１】
表１に示すように、実施品αを使用した場合であっても、実施品βを使用した場合であっても、「満足」と解答した人の割合は５割以上であった。これにより、本発明によれば、半球体の高さが同一であっても、相違する場合であっても日常的に便秘を訴える人の５割以上の人に便秘解消効果を与えることができる。さらに、実施品βを装着した場合、「満足」と解答した人の割合が１７％弱高い。これにより、半球体の高さを相違させた方が、半球体の高さを同一とするよりも便秘解消効果が得られることがわかった。
【符号の説明】
【００７２】
１、２０      基板部
２、２２、３１、３２、３３      延在突起
３、４、５、２４、３４        凸部
３９、４１        隆起部
４０、４２        突出部
７      下腹部領域
１２    ポケット
５０    対象部位
５１    曲面
６０    身体装着具
ｌ１    第１の線分
ｌ２    第２の線分
ｌ３    第３の線分
【図１】
0005465058.tif 000003
【図２】
0005465058.tif 000004
【図３】
0005465058.tif 000005
【図４】
0005465058.tif 000006
【図５】
0005465058.tif 000007
【図６】
0005465058.tif 000008
【図７】
0005465058.tif 000009
【図８】
0005465058.tif 000010
【図９】
0005465058.tif 000011
【図１０】
0005465058.tif 000012
【図１１】
0005465058.tif 000013
【図１２】
0005465058.tif 000014
【図１３】
0005465058.tif 000015
【図１４】
0005465058.tif 000016